(57)【要約】  クロージャは、外側プラスチックシェル（４２）を有し、この外側プラスチックシェルは、ベース壁（４６）と、中心軸線を備えた周囲スカート（４８）と、ベース壁の裏面に設けられた突出部（５２）の円周方向アレイと、ベース壁から間隔を隔ててスカートに設けられた１対の軸方向に間隔を隔てた内部ビード（６０，６２）とを有する。内側プラスチックシェル（４４）は、ベース壁（４８）と、中心軸線を備えた周囲スカート（７０）と、内側シェルのスカートに設けられた少なくとも１つの雌ねじと、ベース壁の外面に設けられた突出部（８０）の円周方向アレイと、ベース壁から見て遠くに位置するスカートの外面に設けられた円周方向ビードとを有する。内側シェルは、外側シェルを内側シェルに回動自在に結合し、外側シェルを単純に回すだけで内側シェルのスカートの少なくとも１条の雌ねじを容器に螺着したりこれから取り外すことができるように内側シェルのスカートのビードが外側シェルのスカートのビード相互間に捕捉された非いたずら防止の第１位置で外側シェル内に位置決め可能である。内側シェルは、外側シェルの回転がベース壁の突出部の強制的な係合により内側シェルに与えられるように内側シェルのスカートのビードが内側スカートのビードから間隔を隔てたいたずら防止の第２位置で外側シェル内に位置決め可能である。
2007517740.tif 000002
【特許請求の範囲】
【請求項１】
いたずら防止作動モードと、いたずら防止非作動モードとを有するクロージャであって、
プラスチック製の外側シェルを有し、該プラスチック製の外側シェルが、ベース壁と、中心軸線を備えた周囲スカートと、前記ベース壁の裏面に設けられた円周方向アレイの突出部と、前記ベース壁から間隔を隔てられた、前記スカート上の１対の軸方向に間隔を隔てた内部ビードとを備え、前記ベース壁から見て遠くに位置する前記内部ビードが、円周方向に連続し、前記ベース壁により近い前記内部ビードよりも小さな内径を有し、
プラスチック製の内側シェルを有し、該プラスチック製の内側シェルが、ベース壁と、中心軸線を備えた周囲スカートと、前記ベース壁の外面に設けられた円周方向アレイの突出部と、前記スカートに設けられた少なくとも１条の雌ねじと、前記ベース壁から見て遠くで前記スカートに設けられた外部ビードとを備え、
前記内側シェルの前記スカートの前記外部ビードは、円周方向に連続し、前記外側シェルの回転が前記ビードを介して前記内側シェルに伝えられるいたずら防止非作動モードでは、前記外側シェルの前記スカートの前記内部ビード間のスナップ嵌めにより受け入れられることができるように寸法決めされた少なくとも一部を有し、前記外側シェルの前記ベース壁から見て遠くに位置する前記内部ビードの前記内径は、前記内側シェルの前記スカートの前記外部ビードの前記円周方向連続部分に対して、前記外側シェル内からの前記内側シェルの取り出しを遅らせるようなものであり、
前記内側シェルの前記スカートの前記外部ビードは、いたずら防止作動モードにおいて、前記外側シェルの回転が前記ベース壁の前記突出部の係合により前記内側シェルに伝えられるように、直径の小さい方の前記内部ビードと前記外側シェルの前記ベース壁との間に設けられている、
クロージャ。
【請求項２】
前記外側シェルの前記ベース壁は、中央開口部を有し、前記内側シェルの前記ベース壁は、前記いたずら防止作動モードでは前記開口部内へ延びる突起を有する、請求項１記載のクロージャ。
【請求項３】
前記外側シェルは、前記内部ビード相互間に延びるリブを有し、前記内側シェルは、前記外部ビードに設けられていて、前記いたずら防止非作動モードでは前記外側シェルの前記リブに係合するリブを有する、請求項１記載のクロージャ。
【請求項４】
前記ベース壁の近くに位置する前記外側シェルの前記内部ビードは、円周方向にセグメント化され、前記内側シェルの前記外部ビードは、前記いたずら防止非作動モードでは前記セグメント化ビードに生じている隙間の中へ軸方向に延びる脚部を有する、請求項１記載のクロージャ。
【請求項５】
前記内側シェルの前記ベース壁の前記突出部は、軸方向から見てＣ字形であり、屈曲したカム面を備える時計回りの方向に向いた脚部及び円周方向に向いた当接面を備える反時計回りの方向に向いた脚部を有する、請求項１記載のクロージャ。
【請求項６】
クロージャであって、
外側プラスチックシェルを有し、該外側プラスチックシェルが、環状ベース壁と、前記ベース壁の外周縁から延びる中心軸線を備えたスカートと、前記ベース壁の裏面に設けられた円周方向アレイの突出部と、前記ベース壁から間隔を隔てて前記スカートに設けられた１対の軸方向に間隔を隔てた内部ビードと、前記ベース壁の内周縁により構成される開口部とを備え、
内側プラスチックシェルを有し、該内側プラスチックシェルが、環状ベース壁と、前記ベース壁の外周縁から延びる中心軸線を備えたスカートと、前記内側シェルの前記スカートに設けられた少なくとも１条の雌ねじと、前記ベース壁の外面に設けられた円周方向アレイの突出部と、前記ベース壁から見て遠くに位置する前記スカートの縁に隣接して前記スカートの外面に設けられた円周方向ビードと、前記スカートと同軸状に且つこれとは逆に前記ベース壁の内周縁から延びるドームとを備え、
前記内側シェルは、前記内側シェルの前記スカートの前記ビードが前記外側シェルの前記スカートの前記ビード間に捕捉された非いたずら防止の第１位置で外側シェル内に位置決め可能であり、前記外側シェルは、前記外側スカートを回すことにより前記内側シェルの前記スカートの前記少なくとも１条の雌ねじを容器に螺着したりこれから取り外すことができるように前記内側シェルに回動自在に結合され、
前記内側シェルは、前記ドームが前記開口部内へ延びるいたずら防止の第２位置で前記外側シェル内に位置決め可能であり、前記内側シェルの前記スカートの前記ビードは、前記外側シェルの回転が前記ベース壁の前記突出部の係合により前記内側シェルに伝えられるように、前記外側シェルの前記スカートの前記ビートから間隔を隔てられる、
クロージャ。
【請求項７】
前記外側シェルは、前記内部ビード相互間に延びるリブを有し、前記内側シェルは、前記外部ビードに設けられていて、前記いたずら防止非作動モードでは前記外側シェルの前記リブに係合するリブを有する、請求項６記載のクロージャ。
【請求項８】
前記ベース壁の近くに位置する前記外側シェルの前記内部ビードは、円周方向にセグメント化され、前記内側シェルの前記外部ビードは、前記いたずら防止非作動モードでは前記セグメント化ビードに生じている隙間の中へ軸方向に延びる脚部を有する、請求項６記載のクロージャ。
【請求項９】
前記内側シェルの前記ベース壁の前記突出部は、軸方向から見てＣ字形であり、屈曲したカム面を備える時計回りの方向に向いた脚部及び円周方向に向いた当接面を備える反時計回りの方向に向いた脚部を有する、請求項６記載のクロージャ。
【請求項１０】
前記外側シェルの前記ベース壁から見て遠くに位置する前記内部ビードは、前記外側シェル内からの前記内側シェルの取り出しを遅らせるように前記外側シェルの前記ベース壁の近くに位置する前記内部ビードよりも小さな内径を有する、請求項６記載のクロージャ。
【発明の詳細な説明】
【技術分野】
【０００１】
本発明は、いたずら防止クロージャ(閉鎖体)に関する。
【背景技術】
【０００２】
特許文献１は、内側プラスチックシェル及び外側プラスチックシェルを備えたいたずら防止クロージャを開示している。外側プラスチックシェルは、ベース壁と、周囲スカートと、ベース壁の裏面に設けられた円周方向アレイの突出部とを有している。内側シェルは、ベース壁と、周囲スカートと、スカートに設けられた少なくとも１条の雌ねじと、外側シェルのベース壁の内部突出部によって対向して係合できるようベース壁の外面に設けられた円周方向アレイの突出部とを有している。クロージャが容器のネック又は仕上げ部に螺着されているとき、クロージャを取り外すためには、外側シェルを内側シェルに対して軸方向に押し付けると同時に回転させて外側シェルの突出部が内側シェルの突出部に係合して内側シェルを容器のネックに対して回転させるようにしなければならない。軸方向力を外側シェルに加えないで外側シェルを回転させると、外側シェルの突出部は、内側シェルの突出部上に乗り上げて内側シェルを容器のネックに対して回転させることはない。この米国特許明細書に記載されている形式のいたずら防止クロージャは、本出願人の譲受人により“ＡＲＧＵＳ−ＬＯＣ”という商標名で長年にわたり市場に出されている。これについては、特許文献２も参照されたい。場合によっては、いたずら防止包装が不要であり、本発明の一般的な目的は、クロージャを容器ネックから容易に取り外すことができるいたずら防止非作動モードを備える上述の米国特許明細書に開示された形式のクロージャを提供することにある。
【０００３】
【特許文献１】米国特許第４，９９７，０９６号明細書
【特許文献２】独国特許第１，５２９，９９９号明細書
【発明の開示】
【課題を解決するための手段】
【０００４】
本発明のクロージャは、外側プラスチックシェルを有し、この外側プラスチックシェルは、ベース壁と、中心軸線を備えた周囲スカートと、ベース壁の裏面に設けられた円周方向アレイ(配列)の突出部と、ベース壁から間隔を隔ててスカートに設けられた１対の軸方向に間隔を隔てた内部ビードとを有する。内側プラスチックシェルが、ベース壁と、中心軸線を備えた周囲スカートと、内側シェルのスカートに設けられた少なくとも１つの雌ねじと、ベース壁の外面に設けられた円周方向アレイの突出部と、ベース壁から見て遠くに位置するスカートの外面に設けられた円周方向ビードとを有する。内側シェルは、外側シェルを内側シェルに回動自在に結合し、外側シェルを単純に回すだけで内側シェルのスカートの少なくとも１条の雌ねじを容器に螺着したり、これから取り外すことができるように内側シェルのスカートのビードが外側シェルのスカートのビード相互間に捕捉された非いたずら防止の第１位置で外側シェル内に位置決め可能である。内側シェルは、外側シェルの回転がベース壁の突出部の強制的な係合により内側シェルに与えられるように内側シェルのスカートのビードが内側スカートのビードから間隔を隔てたいたずら防止の第２位置で外側シェル内に位置決め可能である。
【０００５】
本発明の好ましい実施形態では、外側シェルのベース壁から見て遠くに位置する外側シェルの内部ビードは、外側シェルのベース壁の近くに位置する内部ビードよりも小さな内径を有し、内側シェルの外部ビードと協働して外側シェル内からの内側シェルの取り外しを遅らせる。外側シェルのベース壁は好ましくは、外側シェルに対する内側シェルのいたずら防止位置において内側シェルに設けられているドームが入り込む開口部を有する。このドームは、いたずら防止位置から非いたずら防止位置への内側シェルの手動運動を容易にするのを助け、しかも、いたずら防止位置において、外側シェルの開口部を通ってデブリ（屑片）が入り込むのを阻止するのに役立つ。
【０００６】
本発明の内容をその追加の目的、特徴、利点並びに構成と共に、以下の詳細な説明、特許請求の範囲及び添付の図面から最もよく理解されよう。
【発明を実施するための最良の形態】
【０００７】
図１は、容器３４及び本発明の現時点において好ましい一実施形態のクロージャ３２を有するパッケージ３０を示している。容器３４は、本体３５及びクロージャ３２の固定のための１条又は２条以上の雄ねじ３８を備えた円筒形ネック又は仕上げ部３６を有している。ライナーディスク４０が、仕上げ部３６の上面又は密封面上に位置決めされている。ライナーディスク４０は、任意適当な単層又は多層構造のものであってよく、仕上げ部３６上に緩く位置決めされてもよく、より好ましくは、ヒートシール等によって仕上げ部３６に着脱自在に固定される。
【０００８】
図１〜図１５は、本発明の現時点において好ましい一実施形態のクロージャ３２を示している。クロージャ３２は好ましくは、ひとつなぎの一体成形外側プラスチックシェル４２とひとつなぎの一体成形内側プラスチックシェル４４の組立体である。外側シェル４２（図１〜図１０）は、ベース壁４６を有し、ベース壁４６の外周縁から円筒形スカート４８が延びている。ベース壁４６は好ましくは、構成が平らであって且つ環状であり、このベース壁は、ベース壁を貫通して設けられた円筒形開口部５０を構成する内周部を有している。円周方向アレイ状に配列された突出部又はラグ５２が、開口部５０とスカート４８との間でベース壁４６の裏面に設けられている。各突出部５２は全体として断面が矩形であり（図９）、各突出部は、平らな軸方向に向いた端壁５４及び円周方向に向いた側壁５６，５８を有している。数個の突出部５２の端壁５４は好ましくは、ベース壁４６に平行であってクロージャスカート４８の中心軸線に垂直な平面内に位置する。軸方向から見て（図６）、突出部５２は、ベース壁４６の裏面に沿って半径方向に延びている。側壁５６，５８は、平らであって、これらは、各突出部上で互いに平行に位置している。突出部５２の半径方向内端部は、図６で最もよく理解できるように丸くされている。
【０００９】
１対の軸方向に間隔を隔てた内部ビード６０，６２が、ベース壁４６から見て遠くに位置するスカートの縁に隣接してスカート４８に設けられている。図１〜図１５の実施形態では、内部ビード６０，６２は、円周方向に連続している。ベース壁４６から見て遠くに位置する内部ビード６２は、ベース壁４６の近くに位置する内部ビード６０の内径よりも小さな内径を有している。その理由については以下に説明する。アレイ状に配列された円周方向に間隔を隔てられるリブ６４が、スカート４８の内部のビード６０，６２相互間に軸方向に延びている。リブ６４が、軸方向から見て且つ図８で最もよく理解できるように構成が全体として三角形である。リブ６４の半径方向内縁部は、図５、図７及び図１０で最もよく分かるように、ビード６０，６２の最も内側の縁部と合体しており、したがって、本発明の好ましい実施形態では、内径の大きな上方リブ６０と内径の小さな下方リブ６２との間で屈曲されている。（例えば「上方」及び「下方」という方向を表す用語は、図１〜図３に示すクロージャ組立体の直立した向きに関して説明の便宜上用いられているが、本発明をこれに限定するものではない。例えば「円周方向」及び「半径方向」という方向を表す用語は、該当する場合には内側及び外側シェルスカートの中心軸線に関して説明の便宜上用いられているが、本発明をこれに限定するものではない。）容器３４へのクロージャの取付け及び取外し方（図１）をユーザに指図するために標識６６が好ましくはベース壁４６の外面の周りに設けられている。かかる標識６６は好ましくは、図示のように、隆起した状態で外側シェル４２に一体成形されている。変形例として、標識をベース壁４６の表面に対して凹んだ状態で一体成形してもよく、或いは、成形後作業においてベース壁４６の外面に印刷してもよい。追加例であるが好ましさの低い変形例として、取扱い説明書きを内側シェル４４に成形し又は印刷してもよい。
【００１０】
図１１〜図１５は、内側クロージャシェル４４を詳細に示している。内側シェル４４は、外周部を備えたベース壁６８を有し、円筒形スカート７０がこの外周部から延びている。図１〜１５の好ましい実施形態では、ベース壁６８は環状であり、このベース壁は、好ましくはベース壁の内周部から軸方向に延びる中空ドーム７２の形態をした突起を有する。ドーム７２は、スカート７０とは逆の方向に延びていて、スカート７０と同軸である。スカート７０は、容器３４の雄ねじ３８（図１）と螺合する１条又は２条以上の雌ねじ７４を有している。外部ビード７６が、ベース壁６８から見て遠くに位置するスカートの縁部に隣接した位置でスカート７０の周りに延びている。図１１〜図１５の実施形態のビード７６は、円周方向アレイ状に配列された軸方向に延びる半径方向歯７８を有する。歯７８は好ましくは、図１１及び図１２並びに図１５で最もよく分かるように、軸方向から見て実質的に三角形である。円周方向アレイ状に配列された外部突出部８０が、ベース壁６８の上面の周りに設けられている。各突出部８０は、軸方向から見て（図１１）実質的にＣ字形をしており、突出部８０は、突出部内スペース又は隙間８２により互いに分離されている。各Ｃ字形突出部８０は、傾斜したカム面８６を備えた時計回りに向いている脚部８４を有する。各突出部８０は、実質的にクロージャシェルの軸線に平行な平面内に設けられた円周方向に向いた当接面９０を備えた反時計回りの方向に向いている脚部８８を更に有している。表面９０，８６は、隙間８２だけ離されている。
【００１１】
クロージャ３２は、図１及び図２ではいたずら防止作動モードで示されており、内側シェル４４は、外側シェル４２に対していたずら防止位置にある。この位置では、内側シェル４４は、内側シェル４４の外部ビード７６が外側シェル４２の上方内部ビード６０上に位置した状態で外側シェル４２内に入れ子式に受け入れられている。この位置では、内側シェル４４は、外側シェル突出部５２が内側シェルベース壁６８に係合する上方位置と、内側シェルビード７６が外側シェル上方ビード６０に係合する下方位置との間で外側シェル４２に対して動くことができる。外側シェル４２を内側シェル４４に対して単に反時計回りに回した場合、外側シェルベース壁４６の外側シェル突出部５２は、内側シェル突出部８０の表面８６上に乗り上げるので、取外しトルクは内側シェルには加えられない。しかしながら、外側シェル４２を反時計回りの方向の回転と同時に内側シェル４４に下方に押し付けた場合、外側シェル突出部５２は、内側シェル突出部８０に係合し、内側シェルを容器仕上げ部３６に対して反時計回りの方向又は開放方向に回転させる。クロージャを容器仕上げ部上に固定するためには、外側シェル４２を時計回りの方向に回転させて外側シェル突出部５２が内側シェル突出部８０の当接フェース９０に係合して内側シェルを時計回りの方向に回転させてクロージャを容器仕上げ部上に締め付けるようにする。
内側シェル４４を図１及び図２のいたずら防止位置から図３の非いたずら防止位置に動かし、それによりクロージャ３２をいたずら防止非作動モードで使用できるよう変換するためには、内側シェル４４を外側シェル４２に対して下方に押す（又は外側シェル４２を内側シェル４４に対して上方に引く）。これは、外側シェルの下縁部を保持した状態で内側シェルドーム７２を外側シェル４２に対して下方に押すことによって達成できる。外側シェル４２に対する内側シェル４４の非いたずら防止位置（図３）では、内側シェルビード７６は、外側シェル４２の内部ビード６０，６２相互間に捕捉される。内側シェルビード７６に設けられたリブ７８が、外側シェルビード６０，６２相互間でリブ６４に係合して外側シェルの回転が時計回りの方向と反時計回りの方向の両方向において内側シェルに直接伝えられるようにする。内側シェルビード７６の外径は好ましくは、内側シェルビード６０の内径よりも大きく、したがって、内側シェルは、非いたずら防止位置ではスナップ式の保持によって保持されるようになっている。しかしながら、下方外側シェルビード６２の内径は好ましくは、内側シェルビード７６が、通常の力を外側シェルに関して内側シェルに加えている間、外側シェル下方ビード６２上に載ることができないようなものである。かくして、内径の小さな下方外側シェルビード６２は、クロージャをいたずら防止作動モードからいたずら防止非作動モードに変換しているとき、内側シェルを外側シェル内に保持する。下方内側シェルビード６２が円周方向に連続しているということにより、このビードの円周方向の拡張が遅れるのが促進される。しかしながら、異常に大きな力を内側シェルに加えると、下方内側シェルビード６２によるこの保持作用が打ち負かされて、内側シェル４４を外側シェル４２内から取り出すことができるようになる。
【００１２】
図１６〜図２４は、本発明の改造型実施形態を示している。図１６〜図２４では、図１〜図１５に用いた参照符号と同一の参照符号は、同一又は関連のコンポーネントを示している。図１６〜図２４の説明は、これらの図の実施形態と図１〜図１５の現時点において好ましい実施形態の差異を強調している。
【００１３】
図１６及び図１７は、外側クロージャシェル９２を示しており、かかる外側クロージャシェルでは、スカート４８の上方内部ビード６０と下方内部ビード６２との間に軸方向に延びるリブ６４相互間の円周方向間隔又は離隔距離は、図４〜図１０の実施形態の場合よりも大きい。多数個のリブ６４及びしたがってリブ相互間の小さな間隔が、内側シェルと外側シェルの相互係合を促進する上で、即ち、内側シェルに対する外側シェルの「剥ぎ取り」を阻止するのを助ける上で好ましい。
【００１４】
図１８及び図１９は、外側シェル９４を示しており、この外側シェルでは、リブ６４相互間の円周方向間隔は、図１６及び図１７の実施形態の場合と同様であり、スカート４８は、上方内部リード６０と同一の内径を備えた下方内部ビード９６を有している。上方内部ビード６０よりも小さな直径を持つ下方内部ビードを設けることは、上述したように、内側クロージャシェルを外側クロージャシェル内に保持するのを助ける上で好ましい。
図２０は、先に説明した実施形態の円周方向に連続した上方内部ビード６０とは対照的に、円周方向にセグメント化された上方内部ビード１００を有する外側クロージャシェル９８を示している。リブ６４が、ビード１００の各セグメントとスカート４８の下方内部ビード９６との間で軸方向に延びている。
【００１５】
図２１及び図２２は、本発明の改造型クロージャ組立体を形成するクロージャ外側シェル１０２及びクロージャ内側シェル１０４を示している。上方内部ビード１００が、図２０の実施形態の場合と同様円周方向にセグメント化されている。内側シェル１０４の外部ビード１０６は、円周方向に連続しており、かかる外部ビードは、円周方向一連の脚部１０８を有し、これら脚部は、ビード１０６からスカート７０の外面に沿って軸方向上方に延びている。いたずら防止非作動モードでは、内側シェル１０４の外部ビード１０６が
外側シェル１０２の内部ビード１００，９６相互間に捕捉された状態で、脚部１０８は、ビード１００のセグメント相互間の隙間１１０内へ延びて外側シェル１０２を内側シェル１０４に回転自在に結合している。
【００１６】
図２３及び図２４は、クロージャ１１２をいたずら防止作動モード（図２３）及びいたずら防止非作動モード（図２４）で示している。クロージャ１１２は、外側シェル１１６のベース壁１１４が中央開口部を備えておらず、内側シェル１２０のベース壁１１８が突起又はドームを備えていないということを除き、図１〜図１５の実施形態のクロージャ３２と本質的に同一である。クロージャ１１２が最初にいたずら防止作動モード（図２３）で消費者に提供された場合、クロージャを容器に螺着し、外側シェル１１６を容器に対して軸方向上方に引き、ついには内側シェル１２０の外部ビードが外側シェル１１６の内部ビード６０，６２相互間にスナップ嵌合するようにすることによっていたずら防止非作動モード（図２４）に変換するのがよい。クロージャをいたずら防止非作動モード（図２４）からいたずら防止作動モード（図２３）に変換するためには、外側シェル１１６を内側シェル１２０に対して下方に押し下げるのがよく、その間、クロージャは容器上に位置し、又は内側シェル１２０をクロージャが容器から取り外された状態で手で外側シェル１１６内で上方で押し上げてもよい。
【００１７】
図２５は、図２３及び図２４の実施形態の内側シェル１２０及び図１〜図１５の実施形態の外側シェル４２を有するクロージャ１２２を示している。外側シェル４２は、ベース壁４６に設けられていて、内側シェル１２０を図示のいたずら防止位置から非いたずら防止位置に動かすために利用できる開口部５０を有する。
【００１８】
図２６は、突出部５２がスカートの裏面で半径方向内方に終端したクロージャ外側シェル１２４を示している。この改造例は、上述した実施形態のどれに関しても具体化できる。
【００１９】
かくして、いたずら防止非作動モードに容易に変換できるいたずら防止型クロージャを開示した。クロージャは、上述の目的及び狙いの全てを完全に満足させる。クロージャを多くの現時点において好ましい実施形態と関連して説明したが、追加の改造例及び変形例についても説明した。当業者であれば、他の改造例及び変形例を容易に想到できよう。本発明は、特許請求の範囲に記載された本発明の精神及び広い範囲に属するかかる全ての改造例及び変形例を包含するものである。
【図面の簡単な説明】
【００２０】
【図１】本発明の現時点において好ましい一実施形態のいたずら防止クロージャ及び容器パッケージの部分断面部分側面図である。
【図２】いたずら防止作動モードにある図１のクロージャの部分断面側面図である。
【図３】いたずら防止非作動モードにある図１のクロージャの部分断面側面図である。
【図４】図１〜図３のクロージャの外側シェルの平面図である。
【図５】図１〜図３のクロージャの外側シェルの部分断面側面図である。
【図６】図１〜図３のクロージャの外側シェルの底面図である。
【図７】領域７内の図５の部分の拡大部分断面図である。
【図８】図５の８−８線矢視部分断面図である。
【図９】図６の９−９線矢視部分断面図である。
【図１０】領域１０内の図７の部分の拡大部分断面図である。
【図１１】図１〜図３のクロージャの内側シェルの平面図である。
【図１２】図１１の内側シェルの部分断面側面図である。
【図１３】領域１３内の図１２の一部の拡大部分断面図である。
【図１４】図１１の１４−１４線矢視部分断面図である。
【図１５】図１３の１５−１５線矢視部分断面図である。
【図１６】図５の部分断面側面図と類似しているが、クロージャの外側シェルの改造型実施形態を示す部分断面側面図である。
【図１７】領域１７内の図１６の部分の拡大部分断面図である。
【図１８】図５の部分断面側面図に類似しているが、クロージャの外側シェルの別の実施形態を示す部分断面側面図である。
【図１９】領域１９内の図１８の部分の拡大部分断面図である。
【図２０】図５の部分断面側面図に類似しているが、クロージャの外側シェルの更に別の実施形態を示す部分断面側面図である。
【図２１】図２０の部分断面側面図に類似しているが、クロージャの外側シェルの別の実施形態を示す部分断面側面図である。
【図２２】図１２の部分断面側面図に類似しているが、図２１の外側シェルと関連して用いられると有用なクロージャの内側シェルの改造型実施形態を示す部分断面側面図である。
【図２３】図２の部分断面側面図に類似しているが、本発明のクロージャの別の実施形態を示す部分断面側面図である。
【図２４】図３の部分断面側面図に類似しているが、本発明のクロージャの別の実施形態を示す部分断面側面図である。
【図２５】図２３及び図２４の実施形態の改造例を示す部分断面側面図である。
【図２６】図１〜図１５の実施形態の改造例を示す部分側面図である。
【図１】
2007517740.tif 000003
【図２】
2007517740.tif 000004
【図３】
2007517740.tif 000005
【図４】
2007517740.tif 000006
【図５】
2007517740.tif 000007
【図６】
2007517740.tif 000008
【図７】
2007517740.tif 000009
【図８】
2007517740.tif 000010
【図９】
2007517740.tif 000011
【図１０】
2007517740.tif 000012
【図１１】
2007517740.tif 000013
【図１２】
2007517740.tif 000014
【図１３】
2007517740.tif 000015
【図１４】
2007517740.tif 000016
【図１５】
2007517740.tif 000017
【図１６】
2007517740.tif 000018
【図１７】
2007517740.tif 000019
【図１８】
2007517740.tif 000020
【図１９】
2007517740.tif 000021
【図２０】
2007517740.tif 000022
【図２１】
2007517740.tif 000023
【図２２】
2007517740.tif 000024
【図２３】
2007517740.tif 000025
【図２４】
2007517740.tif 000026
【図２５】
2007517740.tif 000027
【図２６】
2007517740.tif 000028
【国際調査報告】
2007517740.tif 000029
2007517740.tif 000030